【事件の表示】
　平成１１年特許願第１０９８７３号「タグと読み取り装置との間の通信の同期化による、タグの動的セットのための多重読み取り方法およびそのシステム」拒絶査定不服審判事件〔平成１２年　３月１４日出願公開、特開２０００−　７６３９６〕について、次のとおり審決する。
【結　論】
　本件審判の請求は、成り立たない。
【理　由】
第１．手続の経緯
　本願は、平成１１年３月１２日（パリ条約による優先権主張１９９８年３月１２日、フランス共和国）の外国語書面出願であって、平成２０年１０月１０日付けで拒絶理由通知がなされ、平成２１年１月９日付けで意見書が提出されると共に手続補正がなされたが、同年４月１０日付けで拒絶査定された。これに対し、平成２１年８月１４日に審判請求がなされると共に手続補正がなされて前置審査に付され、同年１１月２０日に審査官より前置報告がなされ、平成２２年１１月３０日付けで当審より審尋がなされ、平成２３年１月２７日に回答書が提出されたものである。
　
第２．本願発明
　本願の請求項１に係る発明は、平成２１年８月１４日付け手続補正により補正された明細書及び図面の記載からみて、その特許請求の範囲の請求項１に記載された以下のとおりのものと認められる。
　
「各々のタグが別個のＩＤコードを有しており、各々のタグが、コード読み取りのシーケンスの間にポーリング装置（Ｌ）により伝送される電磁界（Ｃ）にランダムに出入りすることが可能であることを特徴とするＲＦタグの動的セットを読み取るための方法において、
　前記タグに属するラッチ（１５）を非動作状態に置くことによって前記コード読み取りのシーケンスの間に前記ポーリング装置からのメッセージを解釈できない状態に新しいタグを置き、
　前記新しいタグが、前記ポーリング装置によって発行されるコマンドに応答することが許可されるために、
　前記新しいタグによって前記ポーリング装置（Ｌ）から受信される前記メッセージの評価をロック解除するために同期化信号を前記新しいタグへ前記ポーリング装置（Ｌ）によって送信することを特徴とする方法。」
　
第３．引用発明
　これに対し、原査定の拒絶の理由に引用された文献である、特開平５−１５９１１４号公報（以下、「引用文献１」という。）には、以下の事項が記載されている。
　
（ア）「【特許請求の範囲】
【請求項１】 ワイヤレス交信媒体を介して非接触カードにデータの伝送を行い、対応する処理を実行するシステムにおける非接触カードのアクセス方式において、読み出し／書き込み装置(1) の通信可能エリア(2) 内に存在する非接触カード(3,4,5) に対してカード独自のＩＤとは別に仮ＩＤを設定し、該仮ＩＤの送信および受信を行いつつ複数の非接触カード(3,4,5) のアクセスを行うことを特徴とする非接触カードのアクセス方式。
（中略）
【請求項５】 前記非接触カード(3,4,5) が常時待ち受け状態にあり、前記読み出し／書き込み装置(1) の通信可能エリア(2)内に到達した際のＡＣＴコマンド受信により作動状態に切り換えられることを特徴とする、請求項１ないし４のいずれかに記載のアクセス方式。」
　
（イ）「【発明の詳細な説明】
【０００１】
【産業上の利用分野】本発明は、親装置の読み出し／書き込み装置Ｒ／Ｗに対して相対的に移動しつつ非接触で信号の授受を行う非接触カードのアクセス方式に関する。
【０００２】非接触カードは、データ記憶、送信および受信等の機能を集約した電子回路を内蔵し、例えば電磁波、赤外線、静電誘導、磁気誘導等を交信媒体として非接触により相手方送受信体との間で所定データの授受・書き込み・対応処理等を行うものである。
【０００３】なお、非接触カードは、コンタクトレスＩＣカードとかワイヤレスカードとも呼ばれることがある。
【０００４】かかる非接触カードは、移動する人または物と固定している装置との間で、接近するのみでデータの授受が行われ、所定機能を発揮せしめることができるもので、データキャリアともいわれ広い用途が期待されている。
【０００５】微弱な電波その他の通信媒体を発信する非接触カードを携帯する人、または、非接触カードの付加された搬送体のような移動体等とアンテナを備えた読み出し／書き込み装置を含む親装置との間で、データの伝送、新たなデータの受信等を行うことができる。
【０００６】例えば、カード内に記憶せしめられた固有コード情報により携帯者または付加搬送体を認識し特定して所要交信を行うことができる。」
　
（ウ）「【００１０】
【従来の技術】従来の微弱マイクロ波を使用する非接触カードは、通常は、アンテナを備えた読み出し／書き込み装置を含む親装置と１対１の対応関係において使用されてきた。
【００１１】これは、１枚のカードのみを対象とすれば混信も生じないため信号送受信の管理が容易となり、誤伝送も生じないためである。
【００１２】しかし、複数カードとの交信および管理ができないため、複数の携帯者や付加物体を同時に管理することができないため用途が制限されていた。
【００１３】例えば、非接触カードの携帯者が重複して接近してくる場合や、運送業や物流業界において、貨物や商品の仕分けを行うような事例においては、順不動で接近または離隔するカードによる検索または区別が不能となる事態が予想される。」
　
（エ）「【００１６】
【課題を解決するための手段】図１は、本発明にかかる非接触カードのアクセス方式を実行するシステムの基本構成を示す説明図である。
【００１７】図において、１はデータの読み出し／書き込み部および送受信部を備えた親装置であり、通信可能エリア２に対して電波、赤外線等の交信媒体を発信し、またこの領域内から発信された交信媒体を受信することができる。
【００１８】３および４は通信可能エリア内に入っている非接触カードであり、カード内に親装置１との交信を行う送受信部ならびにデータ処理機能を具備している。したがって、親装置１と各非接触カード３、４とは、相互にデータの交信を行い、また必要な処理を実行することができる。」
　
（オ）「【００２８】
【実施例】以下、本発明にかかる非接触カードのアクセス方式の実施例を説明する。読み込みのための非接触カードと親装置とは相対的に移動しており、例えば、非接触カードが親装置の通信可能エリアに対して移動してくるものとする。なお、親装置の方が、カードの方へ移動してくることもできる。
【００２９】親装置による非接触カードの検索および読み込み時間は短く、一般的に１００ミリ秒程度で行われる。このような読み込みの間に後続のカードが現れる確率はほとんど無いものとしている。
【００３０】図１の非接触カード３が、親装置１の通信可能エリア２内に入ると、カードはそれまでの待ち受け状態、すなわちスタンバイから通信可能状態、すなわちアクティブ状態に切り替わる。反対に、カードが通信可能エリア２外に出る時は、スタンバイ状態に戻すと都合がよい。
【００３１】このように、通信可能エリア外にあるカードをスタンバイにしておくのは、カードに内蔵される小型電源の電力消費を極力節減しようとするものである。このような状態切り換えは、親装置の発信するＡＣＴコマンドによって制御することができる。
【００３２】かかるシステム構成において、親装置１の読み出し／書き込み装置は、通信可能エリア２内の非接触カード３および４に対して、ＢＳＹフラグ（使用中表示フラグ）、仮ＩＤ、ＥＲＲフラグを含むコマンドを伝送する。」
　
（カ）「【００４０】図２は、本発明にかかる非接触カードのアクセス方式において、カードからの信号の衝突無しの場合の動作を示す信号状態の時系列説明図である。
【００４１】基準線の上側は親装置の読み出し／書き込み装置、下側は各非接触カード１および２の信号状態である。
【００４２】親装置側のＡＣＴコマンドおよびＩＤ読み出しコマンドにより、接近してきた非接触カードはスタンバイ状態からアクティブ状態に変更せしめられ、仮ＩＤのクリアを行う。
【００４３】なお、一旦アクティブ状態になった後の、ＡＣＴコマンドは無視される。
【００４４】第１の非接触カード１は、親装置によるＳＥＬコマンドとＢＳＹコマンドの状態から、仮ＩＤ“１”の送信が可能であると判断し、自カードデータと共に、親装置に伝送する。
【００４５】第２の非接触カード２においては、アクティブ状態になった後に、親装置からのコマンドによって既に仮ＩＤ“１”が使用状態になっていることを認識し、次の仮ＩＤ“２”と自カードデータとを送信する。」
　
（キ）「【００５３】非接触カード側および親装置の読み出し／書き込み装置の各制御フローを説明する前に、図４に示す各信号の構成および機能について改めて開示する。
【００５４】コマンドＣＭＤは、非接触カードに対する各種コマンドの識別を行うものであり、本実施例では５バイトで構成されている。またＩＤ−ＲＥＡＤコマンドに関しては、仮ＩＤおよびＩＤのみを要求する場合と、これらにデータを付加したものを要求する場合との２種類がある。
【００５５】データは必須となるもので、本実施例では１００バイト程度のものである。なお、固定的に読み出されるデータのアドレスおよび長さ等のデータは、初期コマンドにより予めカードに記憶せしめられている。
【００５６】ＳＥＬコマンドは、仮ＩＤ、すなわちＤＩＤの指定を行うものである。従来はカードのＩＤを指定すべきものとされていたが、本発明においては、コマンドの長さを短縮するために、ＤＩＤを用いるものである。
【００５７】親装置の読み出し／書き込み装置は、新しいカードのデータ検索、いわゆるデータ刈り取りを行い、かつカードの存在チェックを行うために、ＳＥＬコマンドを用いている。
【００５８】例えば、ＳＥＬ＝０のときは、データ刈り取りが未済のカードは、空いているＤＩＤを探して、ＤＩＤ、ＩＤ、データを読み出し／書き込み装置に対して必要な送信を行う。また、ＳＥＬ＝１から８のいずれかのときは、８枚のカードの中の指定されたＤＩＤを持つカードが、ＤＩＤ、ＩＤの送信を行う。」
　
（ク）「【００６７】ＩＤコードは、カード本来の識別番号で、システムで管理するカード全てに付されている４ないし１０バイト程度の情報である。システム的な管理は全てこのＩＤを基礎として実行される。固定的なデータの読み込み処理以外の読み込み処理またはデータ書き込み処理等は、コマンドにこのＩＤを付加して行われる。
【００６８】データは、カード内に記録された物または人に対する固有情報であり、本システムが目的とする管理または制御を行う本質的データを表すものである。この情報は、システムの目的によってそれぞれ異なるため、可変としておきカード発行時に所要バイト数を決定し、記録しておくべきものである。」
　
（ケ）「【００６９】図５は、本発明にかかる非接触カードのアクセス方式におけるカード側の制御状態を示すフロー図である。
【００７０】カード側は、通常は節電の要請からスタンバイ状態となっているが、ステップＳ０において親装置の通信可能エリアに入り、その読み出し／書き込み装置からのアクティブコマンドＡＣＴを受信したか否かの判定を行う。受信するまではスタンバイ状態を維持する。
【００７１】ＡＣＴコマンドを受信した場合には、ステップＳ１のようにアクティブ状態に変化せしめる起動動作が行われる。次いで、起動後の初期設定の一部として、ステップＳ２のように仮ＩＤのクリアを行っておく。ついで、ステップＳ３のように、所定時間内にコマンド受信したか否かの判定が行われる。
【００７２】ステップＳ３で所定時間内になんらのコマンドをも受信しない場合には、再びスタンバイ状態に復帰し、次のアクティブコマンドを受信するまでステップＳ０の節電モードを継続する。
【００７３】このステップＳ３によりコマンド受信したと判定された場合には、ステップＳ４のように、そのコマンドがＩＤ読み出しコマンドか否かを判定する。ＩＤ読み出しコマンドでない場合には、ステップＳ５のように、当該コマンドに対応する処理を実行し、ステップＳ３以降の処理を繰り返す。
【００７４】ステップＳ４で、ＩＤ読み出しコマンドと判断された場合には、ステップＳ６において仮ＩＤ送信が完了しているか否かの判定が行われる。この仮ＩＤの送信が行われる際には、指定があればデータの送信も行う。」
　
（コ）図面【図２】
　「本発明のアクセス方式の信号状態（衝突無しの場合）の時系列説明図」との表題の下に、「親装置Ｒ／Ｗ」からの信号である「ＡＣＴ」及びこれに引き続く「ＩＤ　ＲＥＡＤ」が示されていると共に、「カード１」及び「カード２」それぞれから「ＤＩＤ」、「ＩＤ」、「ＤＡＴＡ」が応答されることが示されている。
　
（サ）図面【図４】
　「コマンドおよびデータの構成例」との表題の下に、コマンドが「ＣＭＤ」、「ＳＥＬ」、「ＢＳＹ」、「ＥＲＲ」で構成されること、及び、応答が「ＤＩＤ」、「ＩＤ」、「ＤＡＴＡ」から構成されることが示されている。
　
（シ）図面【図５】
　「本発明の非接触カードの動作を示すフロー図」との表題の下に、「開始」に続いて「ＡＣＴコマンドを受けたか？」という判定を行うステップＳ０があり、当該判定がＮＯの場合には再びＳ０を繰り返すこと、及び、当該判定がＹＥＳの場合に「カードの起動（Ｓ１）」、「コマンド受信したか？」との判定（Ｓ３）等のステップが行われることがフローチャートによって示されている。
　
（ａ）上記（ア）の「【特許請求の範囲】
【請求項１】 ワイヤレス交信媒体を介して非接触カードにデータの伝送を行い、対応する処理を実行するシステムにおける非接触カードのアクセス方式において、読み出し／書き込み装置(1) の通信可能エリア(2) 内に存在する非接触カード(3,4,5) に対してカード独自のＩＤとは別に仮ＩＤを設定し、該仮ＩＤの送信および受信を行いつつ複数の非接触カード(3,4,5) のアクセスを行うことを特徴とする非接触カードのアクセス方式。」との記載から、引用文献１には、読み出し／書き込み装置の通信エリア内に存在する複数の非接触カードに対して、カード独自のＩＤとは別に仮ＩＤを設定して、該仮ＩＤの送信および受信を行いつつアクセスを行う非接触カードのアクセス方式について記載されたものと解される。
　また、上記（イ）の「【０００４】かかる非接触カードは、移動する人または物と固定している装置との間で、接近するのみでデータの授受が行われ、所定機能を発揮せしめることができるもので、データキャリアともいわれ広い用途が期待されている。」との記載を併せると、当該非接触カードはデータキャリアともいわれるものであると解され、
　上記（ウ）の「【００１３】例えば、非接触カードの携帯者が重複して接近してくる場合や、運送業や物流業界において、貨物や商品の仕分けを行うような事例においては、順不動で接近または離隔するカードによる検索または区別が不能となる事態が予想される。」との記載を併せると、非接触カードが順不同で接近または離隔することも読み取れ、
　上記（エ）の「【００１６】
【課題を解決するための手段】図１は、本発明にかかる非接触カードのアクセス方式を実行するシステムの基本構成を示す説明図である。
【００１７】図において、１はデータの読み出し／書き込み部および送受信部を備えた親装置であり、通信可能エリア２に対して電波、赤外線等の交信媒体を発信し、またこの領域内から発信された交信媒体を受信することができる。
【００１８】３および４は通信可能エリア内に入っている非接触カードであり、カード内に親装置１との交信を行う送受信部ならびにデータ処理機能を具備している。したがって、親装置１と各非接触カード３、４とは、相互にデータの交信を行い、また必要な処理を実行することができる。」との記載を併せると、上記（ア）の「読み出し／書き込み装置」と明らかに同一のものである上記（エ）の「データの読み出し／書き込み部および送受信部を備えた親装置」が、電波、赤外線等の交信媒体を通信可能エリアに発信することが読み取れ、そして
　上記（オ）の「【００３０】図１の非接触カード３が、親装置１の通信可能エリア２内に入ると、カードはそれまでの待ち受け状態、すなわちスタンバイから通信可能状態、すなわちアクティブ状態に切り替わる。反対に、カードが通信可能エリア２外に出る時は、スタンバイ状態に戻すと都合がよい。」との記載から、非接触カードは通信可能エリアに出入りするものであることも読み取れる。
　さらに、上記（カ）の「【００４１】基準線の上側は親装置の読み出し／書き込み装置、下側は各非接触カード１および２の信号状態である。
【００４２】親装置側のＡＣＴコマンドおよびＩＤ読み出しコマンドにより、接近してきた非接触カードはスタンバイ状態からアクティブ状態に変更せしめられ、仮ＩＤのクリアを行う。
【００４３】なお、一旦アクティブ状態になった後の、ＡＣＴコマンドは無視される。
【００４４】第１の非接触カード１は、親装置によるＳＥＬコマンドとＢＳＹコマンドの状態から、仮ＩＤ“１”の送信が可能であると判断し、自カードデータと共に、親装置に伝送する。」との記載、及び上記（キ）の「【００５４】（中略）またＩＤ−ＲＥＡＤコマンドに関しては、仮ＩＤおよびＩＤのみを要求する場合と、これらにデータを付加したものを要求する場合との２種類がある。（中略）
【００５６】ＳＥＬコマンドは、仮ＩＤ、すなわちＤＩＤの指定を行うものである。従来はカードのＩＤを指定すべきものとされていたが、本発明においては、コマンドの長さを短縮するために、ＤＩＤを用いるものである。
【００５７】親装置の読み出し／書き込み装置は、新しいカードのデータ検索、いわゆるデータ刈り取りを行い、かつカードの存在チェックを行うために、ＳＥＬコマンドを用いている。
【００５８】例えば、ＳＥＬ＝０のときは、データ刈り取りが未済のカードは、空いているＤＩＤを探して、ＤＩＤ、ＩＤ、データを読み出し／書き込み装置に対して必要な送信を行う。また、ＳＥＬ＝１から８のいずれかのときは、８枚のカードの中の指定されたＤＩＤを持つカードが、ＤＩＤ、ＩＤの送信を行う。」との記載、並びに、対応する図面の記載事項である上記（コ）及び上記（サ）を併せると、引用文献１に記載のアクセス方式において、非接触カードは、カード独自のＩＤを自カードのデータとしていると解されると共に、当該アクセス方式の仮ＩＤの設定のために、非接触カードが親装置からのＩＤ読み出しコマンドに対して空いている仮ＩＤ（ＤＩＤ）を探し、当該仮ＩＤと共に、自カードデータであるカード独自のＩＤ及びデータとを応答として親装置に送信することも読み取れ、
　上記（ク）の「【００６７】ＩＤコードは、カード本来の識別番号で、システムで管理するカード全てに付されている４ないし１０バイト程度の情報である。システム的な管理は全てこのＩＤを基礎として実行される。固定的なデータの読み込み処理以外の読み込み処理またはデータ書き込み処理等は、コマンドにこのＩＤを付加して行われる。」との記載からみて、引用文献１に記載のカード独自のＩＤはカード本来の識別番号であると解される。
　以上のことから、引用文献１には、
　データキャリアである複数の非接触カードが、カード本来の識別番号であるカード独自のＩＤを自カードデータとしており、順不同で接近または離隔し、また、親装置が電波、赤外線等の交信媒体を発信する通信可能エリアに出入りするものである各々の該非接触カードが、親装置からのＩＤ読み出しコマンドに対して、仮ＩＤの設定のために空いている仮ＩＤを探し、当該仮ＩＤと、カード独自のＩＤと、データとを応答として親装置に送信する非接触カードのアクセス方式
　が記載されたものといえる。
　
（ｂ）上記（オ）の「【００３０】図１の非接触カード３が、親装置１の通信可能エリア２内に入ると、カードはそれまでの待ち受け状態、すなわちスタンバイから通信可能状態、すなわちアクティブ状態に切り替わる。反対に、カードが通信可能エリア２外に出る時は、スタンバイ状態に戻すと都合がよい。
【００３１】このように、通信可能エリア外にあるカードをスタンバイにしておくのは、カードに内蔵される小型電源の電力消費を極力節減しようとするものである。このような状態切り換えは、親装置の発信するＡＣＴコマンドによって制御することができる。」との記載から、非接触カードを、通信可能エリア外にあるときはスタンバイ状態に置くことが読み取れると共に、
　上記（ケ）の「【００６９】図５は、本発明にかかる非接触カードのアクセス方式におけるカード側の制御状態を示すフロー図である。
【００７０】カード側は、通常は節電の要請からスタンバイ状態となっているが、ステップＳ０において親装置の通信可能エリアに入り、その読み出し／書き込み装置からのアクティブコマンドＡＣＴを受信したか否かの判定を行う。受信するまではスタンバイ状態を維持する。
【００７１】ＡＣＴコマンドを受信した場合には、ステップＳ１のようにアクティブ状態に変化せしめる起動動作が行われる。次いで、起動後の初期設定の一部として、ステップＳ２のように仮ＩＤのクリアを行っておく。ついで、ステップＳ３のように、所定時間内にコマンド受信したか否かの判定が行われる。
（中略）
【００７３】このステップＳ３によりコマンド受信したと判定された場合には、ステップＳ４のように、そのコマンドがＩＤ読み出しコマンドか否かを判定する。ＩＤ読み出しコマンドでない場合には、ステップＳ５のように、当該コマンドに対応する処理を実行し、ステップＳ３以降の処理を繰り返す。」との記載、及び、対応する図面の記載事項である上記（シ）を併せると、引用文献１に記載されたスタンバイ状態は、ＡＣＴコマンドとは異なるコマンドであるＩＤ読み出しコマンドは解釈できない状態であると解されるから、引用文献１には、
　通信可能エリア外にある非接触カードを、ＩＤ読み出しコマンドを解釈できないスタンバイ状態に置くこと
　が記載されたものといえる。
　
（ｃ）上記（オ）の「【００３０】図１の非接触カード３が、親装置１の通信可能エリア２内に入ると、カードはそれまでの待ち受け状態、すなわちスタンバイから通信可能状態、すなわちアクティブ状態に切り替わる。（中略）【００３１】（中略）このような状態切り換えは、親装置の発信するＡＣＴコマンドによって制御することができる。」との記載、上記（ケ）の「【００７１】ＡＣＴコマンドを受信した場合には、ステップＳ１のようにアクティブ状態に変化せしめる起動動作が行われる。次いで、起動後の初期設定の一部として、ステップＳ２のように仮ＩＤのクリアを行っておく。ついで、ステップＳ３のように、所定時間内にコマンド受信したか否かの判定が行われる。
（中略）
【００７３】このステップＳ３によりコマンド受信したと判定された場合には、ステップＳ４のように、そのコマンドがＩＤ読み出しコマンドか否かを判定する。ＩＤ読み出しコマンドでない場合には、ステップＳ５のように、当該コマンドに対応する処理を実行し、ステップＳ３以降の処理を繰り返す。
【００７４】ステップＳ４で、ＩＤ読み出しコマンドと判断された場合には、ステップＳ６において仮ＩＤ送信が完了しているか否かの判定が行われる。この仮ＩＤの送信が行われる際には、指定があればデータの送信も行う。」との記載、及び、対応する図面の記載事項である上記（シ）を併せると、引用文献１には、
　通信可能エリア外にある非接触カードが、親装置の通信可能エリア内に入り、親装置の発信するＡＣＴコマンドを受信した場合には、アクティブ状態に切り替わって、受信したコマンドがＩＤ読み出しコマンドか否かを判定し、ＩＤ読み出しコマンドに応答することが可能となること
が記載されたものといえる。
　
　以上のことから、引用文献１には以下の発明（以下、「引用発明」という。）が記載されたものと認められる。
　
　データキャリアである複数の非接触カードが、カード本来の識別番号であるカード独自のＩＤを自カードデータとしており、順不同で接近または離隔し、また、親装置が電波、赤外線等の交信媒体を発信する通信可能エリアに出入りするものである各々の該非接触カードが、親装置からのＩＤ読み出しコマンドに対して、仮ＩＤの設定のために空いている仮ＩＤを探し、当該仮ＩＤと、カード独自のＩＤと、データとを応答として親装置に送信する非接触カードのアクセス方式であって、
　通信可能エリア外にある非接触カードを、ＩＤ読み出しコマンドを解釈できないスタンバイ状態に置き、
　通信可能エリア外にある非接触カードが、親装置の通信可能エリア内に入り、親装置の発信するＡＣＴコマンドを受信した場合には、アクティブ状態に切り替わって、受信したコマンドがＩＤ読み出しコマンドか否かを判定し、ＩＤ読み出しコマンドに応答することが可能となる方式。
　
第４．対比
　引用発明と、本願発明とを対比する。
　引用発明の「親装置」は、本願発明の「ポーリング装置」に相当する。
　そして、引用発明の「通信可能エリア」は、親装置から電波、赤外線等の交信媒体が発信されるものであるから、親装置により伝送される電磁界といえるものであって、本願発明における「ポーリング装置により電送される電磁界」と同じものである。
　また、引用発明の「データキャリアである非接触カード」と、本願発明の「ＲＦタグ」とは、”非接触式のデータキャリア”という点で一致する。
　そして、引用発明の「カード本来の識別番号であるカード独自のＩＤ」は、本願発明の「ＩＤコード」に相当し、また、「カード本来の識別番号であるカード独自のＩＤを自カードデータとして」いることは、非接触カード各々が別個のＩＤコードを有していることに他ならない。
　さらに、本願発明の「コード読み取りのシーケンス」との用語について、本願明細書【００２５】段落の「図２において、複数のタグの更新を伴う読み取りシーケンスのフローチャートが表されている。（中略）次に、段階３２は、・・・、シーケンス番号を割り当てる間に読み取りアルゴリズムを適用することである。さらに、このシーケンス番号は、リストとして記録される。」との記載、及び、同【００２７】段落の「次に、テスト（段階）３６は、まだリストにない新しいタグが最近電磁界に入ったかどうかを検査する。新しいタグが電磁界に入った場合、シーケンス番号の割当てを伴う読み取りアルゴリズムが段階３８において実行される。このアルゴリズムは段階３２のものと同一である。」との記載を参酌すると”シーケンス番号の割り当てを伴うコード読み取りのシーケンス”を意味するものと解されるところ、引用発明における「親装置からのＩＤ読み出しコマンドに対して、仮ＩＤの設定のために空いている仮ＩＤを探し、当該仮ＩＤと、カード独自のＩＤと、データとを応答として親装置に送信する」ことも、本願発明でいう「シーケンス番号の割当て」に他ならない仮ＩＤの設定を伴うシーケンスであって、また、カード独自のＩＤとデータとを親装置が読み取るシーケンスといえるから、引用発明における「親装置からのＩＤ読み出しコマンドに対して、仮ＩＤの設定のために空いている仮ＩＤを探し、当該仮ＩＤと、カード独自のＩＤと、データとを応答として親装置に送信する」ことは、本願発明の「コード読み取りのシーケンス」と同じものといえる。
　そして、引用発明の「非接触カード」は「順不同で接近または離隔し、また、・・・通信可能エリアに出入りするものである」から、当該コード読み取りのシーケンスの間に通信可能エリアにランダムに出入りすることが可能なものといえる。
　本願発明の「ＲＦタグの動的セット」とは、本願明細書【０００７】段落の「この技術は、タグの動的セット、すなわち、ポーリング装置の電磁界にランダムに出入りできるタグ」との記載を参酌すれば、ポーリング装置の電磁界にランダムに出入りできる複数のタグを意味する用語と解されるが、引用発明の「複数の非接触カード」も、通信可能エリアにランダムに出入りするものであるから、引用発明の「複数の非接触カード」も、本願発明の「ＲＦタグの動的セット」と、”非接触式のデータキャリアの動的セット”という点で一致するものである。
　加えて、引用発明の「非接触カードのアクセス方式」は、親装置が非接触式のデータキャリアの動的セットである複数の非接触カードのカード独自のＩＤ及びデータを読み取るシーケンスを含む方法といえるものであるから、本願発明の「ＲＦタグの動的セットを読み取るための方法」と、”非接触式のデータキャリアの動的セットを読み取るための方法”である点で一致する。
　したがって、引用発明の「データキャリアである複数の非接触カードが、カード本来の識別番号であるカード独自のＩＤを自カードデータとしており、順不同で接近または離隔し、また、親装置が電波、赤外線等の交信媒体を発信する通信可能エリアに出入りするものである各々の該非接触カードが、親装置からのＩＤ読み出しコマンドに対して、仮ＩＤの設定のために空いている仮ＩＤを探し、当該仮ＩＤと、カード独自のＩＤと、データとを応答として親装置に送信する非接触カードのアクセス方式」と、本願発明の「各々のタグが別個のＩＤコードを有しており、各々のタグが、コード読み取りのシーケンスの間にポーリング装置（Ｌ）により伝送される電磁界（Ｃ）にランダムに出入りすることが可能であることを特徴とするＲＦタグの動的セットを読み取るための方法」とは、
”各々の非接触式のデータキャリアが別個のＩＤコードを有しており、各々の非接触式のデータキャリアが、コード読み取りのシーケンスの間にポーリング装置により伝送される電磁界にランダムに出入りすることが可能であることを特徴とする非接触式のデータキャリアの動的セットを読み取るための方法”
である点で一致する。
　
　引用発明の「通信可能エリア外にある非接触カード」は、本願発明における「新しいタグ」と、”新しい非接触式のデータキャリア”である点で一致する。
　また、引用発明の「ＩＤ読み出しコマンド」は、ＩＤを読み取るシーケンスの間に親装置から発せられるメッセージに他ならないから、引用発明の「ＩＤ読み出しコマンドを解釈できない状態」と、本願発明の「コード読み取りのシーケンスの間に前記ポーリング装置からのメッセージを解釈できない状態」とは、同じものといえる。
　したがって、引用発明の「通信可能エリア外にある非接触カードを、ＩＤ読み出しコマンドを解釈できないスタンバイ状態に置き」と、本願発明の「前記タグに属するラッチ（１５）を非動作状態に置くことによって前記コード読み取りのシーケンスの間に前記ポーリング装置からのメッセージを解釈できない状態に新しいタグを置き」とは、
”コード読み取りのシーケンスの間に前記ポーリング装置からのメッセージを解釈できない状態に新しい非接触式のデータキャリアを置”く点で一致する。
　
　引用発明の「受信したコマンドがＩＤ読み出しコマンドか否かを判定」することは、受信されるメッセージの評価に他ならないから、本願発明の「ポーリング装置（Ｌ）から受信される前記メッセージの評価」と同じものである。
　また、引用発明の「ＡＣＴコマンド」は、本願発明における「同期化信号」に相当するものである。
　そして、引用発明の「通信可能エリア外にある非接触カードが、親装置の通信可能エリア内に入り、親装置の発信するＡＣＴコマンドを受信した場合」とは、ＡＣＴコマンドを、通信可能エリア内に入った、通信可能エリア外にあった非接触カードへ親装置によって送信することに他ならず、当該ＡＣＴコマンドの送信は、非接触カードがＩＤ読み出しコマンドか否かを判定し、またＩＤ読み出しコマンドに応答することができないスタンバイ状態から、当該判定及び応答が可能なアクティブ状態に非接触カードを切り替えるためのものといえるから、引用発明の当該送信は、本願発明の「ポーリング装置（Ｌ）から受信される前記メッセージの評価をロック解除するために」及び「ポーリング装置によって発行されるコマンドに応答することが許可されるために」と同じ目的を達成するためのものといえる。
　以上のことから、引用発明の「通信可能エリア外にある非接触カードが、親装置の通信可能エリア内に入り、親装置の発信するＡＣＴコマンドを受信した場合には、アクティブ状態に切り替わって、受信したコマンドがＩＤ読み出しコマンドか否かを判定し、ＩＤ読み出しコマンドに応答することが可能となる」ことと、本願発明の「前記新しいタグが、前記ポーリング装置によって発行されるコマンドに応答することが許可されるために、
　前記新しいタグによって前記ポーリング装置（Ｌ）から受信される前記メッセージの評価をロック解除するために同期化信号を前記新しいタグへ前記ポーリング装置（Ｌ）によって送信すること」とは、
”前記新しい非接触式のデータキャリアが、前記ポーリング装置によって発行されるコマンドに応答することが許可されるために、
　前記新しい非接触式のデータキャリアによって前記ポーリング装置から受信される前記メッセージの評価をロック解除するために同期化信号を前記新しい非接触式のデータキャリアへ前記ポーリング装置によって送信する”点で一致する。
　
　以上のことから、本願発明と引用発明とは、以下の一致点で一致し、また以下の各相違点で相違する。
　
（一致点）
　各々の非接触式のデータキャリアが別個のＩＤコードを有しており、各々の非接触式のデータキャリアが、コード読み取りのシーケンスの間にポーリング装置により伝送される電磁界にランダムに出入りすることが可能であることを特徴とする非接触式のデータキャリアの動的セットを読み取るための方法において、
　コード読み取りのシーケンスの間に前記ポーリング装置からのメッセージを解釈できない状態に新しい非接触式のデータキャリアを置き、
　前記新しい非接触式のデータキャリアが、前記ポーリング装置によって発行されるコマンドに応答することが許可されるために、
　前記新しい非接触式のデータキャリアによって前記ポーリング装置から受信される前記メッセージの評価をロック解除するために同期化信号を前記新しい非接触式のデータキャリアへ前記ポーリング装置によって送信することを特徴とする方法。
　
（相違点）
（相違点１）非接触式のデータキャリアに関し、本願発明は「ＲＦタグ」であるのに対して、引用発明の「非接触カード」はタグであることが明らかではない点。
　
（相違点２）ポーリング装置からのメッセージを解釈できない状態にデータキャリアを置くことが、本願発明では「タグに属するラッチを非動作状態に置く」ことによって実現されているのに対して、引用発明の非接触カードでは、どのようにしてスタンバイ状態あるいはアクティブ状態に非接触カードを置くことが実現されているのかが明らかではない点。
　
第５．判断
　上記各相違点について判断する。
（相違点１）について
　非接触式のデータキャリアの技術分野において、当該データキャリアを用途に応じて「カード」あるいは「タグ」として形成することは周知の技術事項（例、特開平９−１０４１９１号公報の「【０００５】このシステムで用いられる非接触ＩＣカードの形状は、カード型のものや、正方形で平板のタグ形状のものなどである。」との記載、特開平８−２３５３３４号公報の「【０００１】【産業上の利用分野】本発明は、ＩＤカード、ＩＤタグ、定期券およびプリペイドカード等に使用され、電磁誘導による非接触にてデータの読み出し、あるいは書き込みを行うことができる非接触型データキャリアに関する。」との記載）であるから、当該周知の技術事項を考慮して、当業者が引用文献１に記載の非接触カードを、無線（ＲＦ）タグとして形成することも容易に想到し得た事項といえる。
　よって、相違点１は格別のものではない。
　
（相違点２）について
　装置を非動作状態あるいは動作状態に置くことを実現する技術として、装置に属するラッチを非動作状態あるいは動作状態に置くことによって実現することは、電子回路技術分野において周知の技術事項（例えば特開平６−３３７７３７号公報の【００２４】−【００２９】段落及び【図２】には、非接触式ＩＣカード内のラッチ（フリップフロップ）２２によって、ＣＰＵ２４がパワーオン時にはリセット状態に置かれた上、リセット解除信号がリーダライタから伝送されると当該ＣＰＵ２４が動作状態に置かれることが記載されている。）であるから、当該周知の技術事項を引用発明においてスタンバイ状態あるいはアクティブ状態に非接触カードを置くことの実現にあたって考慮することで、引用発明においても、非接触カード内にラッチを設け、当該スタンバイ状態あるいはアクティブ状態に置くことで実現するよう構成することは当業者が容易に想到し得た事項といえる。
　よって、相違点２は格別のものではない。
　
　そして、本願発明の奏する効果について検討しても、引用発明及び周知の技術事項から当業者が容易に予測し得た程度のものである。
　
　したがって、本願発明は、引用発明及び周知の技術事項に基づいて当業者が容易に発明をすることができたものといえる。
　
第６．むすび
　以上のとおりであるから、本願の請求項１に係る発明は、引用文献１に記載された発明及び周知の技術事項から当業者が容易に発明をすることができたものであるので、特許法第２９条第２項の規定により特許を受けることができないものである。
　
　よって、結論のとおり審決する。